(57)【特許請求の範囲】
【請求項１】
ラッチ部を有し回路基板に固定されるベースコネクタと組み合わされて使用されるソケットコネクタであって、
ソケットハウジングと、該ソケットハウジングの外面に連結されると共に前記ソケットコネクタと前記ベースコネクタとが組み合わされた組み合わせ状態において前記ラッチ部と係合することにより前記ソケットコネクタと前記ベースコネクタとの結合状態を維持するロックアームとを備え、
前記ロックアームは、前記組み合わせ状態において前記ソケットコネクタから前記ベースコネクタに向かう第１方向に延びるフック部と、該第１方向と反対向きの第２方向に延びる力点部と、前記フック部と前記力点部の間に位置し前記ソケットハウジングの外面に連接される支点部とを備え、該支点部を中心に前記フック部及び前記力点部が回動可能に構成されており、
前記ソケットハウジングには、前記支点部と連接する連接部における前記第１方向側に、該第１方向側に開放する開放空間が形成されており、
前記ソケットハウジングは、前記フック部が前記支点部を中心に回動した際に、前記開放空間への該フック部の過剰な進入を阻止するストッパを備え、
前記ストッパは、前記ソケットハウジングにおける、前記ロックアームの回動軸方向の中心部に対向する位置に、又は、前記ロックアームの回動軸方向に沿う両端部近傍に設けられていることを特徴とするソケットコネクタ。
【請求項２】
前記開放空間は、前記組み合わせ状態において、前記ベースコネクタにおける前記ラッチ部が連結される周壁部が収容される空間であることを特徴とする請求項１に記載のソケットコネクタ。
【請求項３】
前記ベースコネクタは、前記組み合わせ状態において前記ストッパとの干渉を避ける逃げ部を備え、
前記ストッパは、前記ソケットコネクタと前記ベースコネクタとを組み合わせる際に、前記逃げ部の内部に案内されるように形成されていることを特徴とする請求項１又は２に記載のソケットコネクタ。
【発明の詳細な説明】
【技術分野】
【０００１】
本発明は、回路基板に固定されるベースコネクタと組み合わされて使用されるソケットコネクタに関する。
【背景技術】
【０００２】
従来より、回路基板に固定されたベースコネクタと、ソケットコネクタとからなるコネクタ対（以下「ソケット−ベースコネクタ対」ともいう）が知られている。また、ソケット−ベースコネクタ対においては、ソケットコネクタとベースコネクタとの結合状態を維持する構成として、ソケットコネクタのソケットハウジングにロックアームを設けると共に、ベースコネクタのベースハウジングにラッチ部を設けたものがある（例えば、下記特許文献１参照）。
【０００３】
図１３は、従来のソケットコネクタにおけるソケットハウジングを、ロックアームの支点部を通るように切断した断面図である。図１４は、従来のソケットコネクタにおいて、ロックアームが過剰に回動した状態を示す断面図である。
図１３に示すように、従来のソケットコネクタ１１０においては、ロックアーム１１５は、フック部１１５ａと、力点部１１５ｂと、フック部１１５ａと力点部１１５ｂの間に位置し且つソケットハウジング１１２の外面に連接されるヒンジ状の支点部１１５ｃとを備え、支点部１１５ｃを中心にフック部１１５ａ及び力点部１１５ｂが回動可能に構成されている。ラッチ部（図示せず）は、ベースハウジングの外面に連接される爪部を有する。
【０００４】
ロックアーム１１５及びラッチ部によれば、ソケットコネクタ１１０とベースコネクタとが組み合わされた組み合わせ状態において、ロックアーム１１５のフック部１１５ａとラッチ部とが係合されることにより、ソケットコネクタ１１０とベースコネクタとの結合状態を維持することができる。
【０００５】
また、ソケットハウジング１１２には、支点部１１５ｃと連接する連接部１１８における第１方向（前記組み合わせ状態において、ソケットコネクタ１１０からベースコネクタに向かう方向）Ｄ１側に、第１方向Ｄ１側に開放する開放空間１２０が形成されている場合が多い。そして、開放空間１２０は、前記組み合わせ状態において、ベースハウジングにおけるラッチ部が連結される周壁部が収容される空間として機能する。
【０００６】
【特許文献１】特開２０００−２００６５３号公報
【発明の開示】
【発明が解決しようとする課題】
【０００７】
ところで、開放空間１２０の大きさによっては、図１４に示すように、支点部１１５ｃを中心としてフック部１１５ａが開放空間１２０に向けて過剰に回動することがあり、回動の程度によっては、支点部１１５ｃに破断や塑性変形が生じ、ロックアーム１１５のロック機能が機能しなくなることがある。
【０００８】
従って、本発明は、ラッチ部を有し回路基板に固定されるベースコネクタと組み合わされて使用されるソケットコネクタにおいて、ロックアームの回動が規制され、ロックアームの支点部の破断などを防止できるソケットコネクタを提供することを目的とする。
【課題を解決するための手段】
【０００９】
（１）本発明は、ラッチ部を有し回路基板に固定されるベースコネクタと組み合わされて使用されるソケットコネクタであって、ソケットハウジングと、該ソケットハウジングの外面に連結されると共に前記ソケットコネクタと前記ベースコネクタとが組み合わされた組み合わせ状態において前記ラッチ部と係合することにより前記ソケットコネクタと前記ベースコネクタとの結合状態を維持するロックアームとを備え、前記ロックアームは、前記組み合わせ状態において前記ソケットコネクタから前記ベースコネクタに向かう第１方向に延びるフック部と、該第１方向と反対向きの第２方向に延びる力点部と、前記フック部と前記力点部の間に位置し前記ソケットハウジングの外面に連接される支点部とを備え、該支点部を中心に前記フック部及び前記力点部が回動可能に構成されており、前記ソケットハウジングには、前記支点部と連接する連接部における前記第１方向側に、該第１方向側に開放する開放空間が形成されており、前記ソケットハウジングは、前記フック部が前記支点部を中心に回動した際に、前記開放空間への該フック部の過剰な進入を阻止するストッパを備えることを特徴とする。
【００１０】
（２）前記開放空間は、前記組み合わせ状態において、前記ベースコネクタにおける前記ラッチ部が連結される周壁部が収容される空間であることが好ましい。
【００１１】
（３）前記ベースコネクタは、前記組み合わせ状態において前記ストッパとの干渉を避ける逃げ部を備え、
前記ストッパは、前記ソケットコネクタと前記ベースコネクタとを組み合わせる際に、前記逃げ部の内部に案内されるように形成されていることが好ましい。
【００１２】
（４）前記ストッパは、前記ソケットハウジングにおける、前記ロックアームの回動軸方向の中心部に対向する位置に設けられていることが好ましい。
【００１３】
（５）前記ストッパは、前記ソケットハウジングにおける、前記ロックアームの回動軸方向に沿う両端部近傍に設けられていることが好ましい。
【発明の効果】
【００１４】
本発明によれば、ラッチ部を有し回路基板に固定されるベースコネクタと組み合わされて使用されるソケットコネクタにおいて、ロックアームの回動が規制され、ロックアームの支点部の破断などを防止することができる。
【発明を実施するための最良の形態】
【００１５】
以下に、本発明の第１実施形態について、図面を参照しながら説明する。
図１は、本発明の第１実施形態のソケットコネクタとベースコネクタとを分離した状態でベースコネクタ側から視た斜視図である。図２は、第１実施形態のソケットコネクタとベースコネクタとを組み合わせた状態でベースコネクタ側から視た斜視図である。図３は、組み合わされた状態のソケットコネクタ及びベースコネクタを、図９に示すＡ−Ａ線で切断した断面図である。図４は、第１実施形態のソケットコネクタにおけるソケットハウジングの斜視図である。図５は、図４に示すソケットハウジングについて、ロックアームの支点部１５ｃを通り且つ第３方向Ｄ３に沿って切断した断面図である。
【００１６】
図６は、図４に示すソケットハウジングについて、図１０に示すＢ−Ｂ線で切断した断面図である。図７は、図４に示すソケットハウジングについて、図９に示すＡ−Ａ線で切断した断面図である。図８は、第１実施形態のソケットコネクタと組み合わせて使用されるベースコネクタを示す斜視図である。図９は、図４に示すソケットハウジングの平面図である。図１０は、図４に示すソケットハウジングの底面図である。
【００１７】
本発明のソケットコネクタは、ベースコネクタと組み合わされて使用されるコネクタである。
まず、第１実施形態のソケットコネクタ１０と組み合わされて使用されるベースコネクタ３０について説明する。
【００１８】
なお、以下の説明において、ソケットコネクタ１０とベースコネクタ３０とが組み合わされた状態を「組み合わせ状態」という。また、前記組み合わせ状態において、ソケットコネクタ１０からベースコネクタ３０に向かう方向を「第１方向Ｄ１」という。第１方向Ｄ１と反対向きの方向を「第２方向Ｄ２」という。ソケットコネクタ１０におけるロックアーム１５の回動軸に沿う方向を「第３方向Ｄ３」という。第１方向Ｄ１及び第３方向Ｄ３に直交すると共にロックアーム１５又はラッチ部３６に向かう方向を「第４方向Ｄ４」という。第４方向Ｄ４と反対向きの方向を「第５方向Ｄ５」という。
【００１９】
図１〜図３及び図８に示すように、ベースコネクタ３０は、回路基板４０の表面に固定されるコネクタである。ベースコネクタ３０は、合成樹脂からなるベースハウジング３１と複数の端子３５とを備えている。ベースハウジング３１は、平面視で（第１方向Ｄ１に視た場合に）略矩形状の底板部３８と、略矩形状の底板部３８の３辺から立設する平面視で略「コ」字状の周壁部３２とを備えている。周壁部３２は、必ずしも連続していないが、全体として略「コ」字状となっている。
略「コ」字状の周壁部３２は、第４方向Ｄ４側に位置すると共に第３方向Ｄ３に延びる前壁部３２ａと、前壁部３２ａの両端部から第５方向Ｄ５に延びる一対の側壁部３２ｂ，３２ｂとを備える。前壁部３２ａにおける第４方向Ｄ４側の外面に、ラッチ部３６が設けられている。
【００２０】
図８に示すように、ベースコネクタ３０の底板部３８における第４方向Ｄ４（前壁部３２ａ）側の領域は、第２方向Ｄ２側に盛り上がり、台座部３４を形成している。台座部３４は、前壁部３２ａに隣接して、第３方向Ｄ３に沿って延びる直方体形状を有している。台座部３４における第３方向Ｄ３の中央部には、第１方向Ｄ１に凹むと共に第４方向Ｄ４に沿って延びる逃げ部３３が形成されている。逃げ部３３は、組み合わせ状態において、ソケットコネクタ１０におけるストッパ２３（詳細は後述）との干渉を避けるために設けられる。
【００２１】
また、図１及び図８に示すように、前壁部３２ａにおけるラッチ部３６よりも第３方向Ｄ３の外側の位置には、第２逃げ部３２ｄが形成されている。第２逃げ部３２ｄは、第１方向Ｄ１に凹んでいる。第２逃げ部３２ｄは、組み合わせ状態において、ソケットコネクタ１０における支点部１５ｃ及び連接部１８との干渉を避けるために設けられる。
【００２２】
端子３５は、金属片からなり、図３及び図８に示すように、台座部３４から第２方向Ｄ２側に突出するソケット側接続部３５ａと、底板部３８を介して前壁部３２ａから第４方向Ｄ４側に突出する基板側接続部３５ｂとを備える。ソケット側接続部３５ａは、組み合わせ状態において、ソケットコネクタ１０におけるケーブル１１の端子（図示せず）と電気的に接続する。基板側接続部３５ｂは、回路基板４０における配線などに電気的に接続されると共に、半田付けなどにより回路基板４０に機械的に固定される。
【００２３】
一対の側壁部３２ｂ，３２ｂは、その第４方向Ｄ４の中央部が、第３方向Ｄ３の内側に向けて突出した側壁部凸部３２ｃとなっている。
ベースコネクタ３０においては、底板部３８（台座部３４を含む）、略「コ」字状の周壁部３２によって収容空間３９が形成される。収容空間３９は、第２方向Ｄ２側及び第５方向Ｄ５側が開放している。組み合わせ状態において、収容空間３９には、ソケットハウジング１２における第１方向Ｄ１側の大部分が収容される。
【００２４】
図１及び図３に示すように、ベースハウジング３１の前壁部３２ａの外面（第４方向Ｄ４側の面）には、ラッチ部３６が設けられている。ラッチ部３６は、ソケットコネクタ１０におけるロックアーム１５のフック部１５ａ（詳細は後述）と係合する。ラッチ部３６の外面側には、ラッチ部３６における第２方向Ｄ２側から、第１方向Ｄ１に向かうと共に第４方向Ｄ４に向かって傾斜する斜面部３７ｂと、斜面部３７ｂにおける第１方向Ｄ１側に位置する係合突起３７ａとが設けられている。
【００２５】
次に、前述したベースコネクタ３０と組み合わされて使用される、第１実施形態のソケットコネクタ１０について説明する。
図１及び図２に示すように、第１実施形態のソケットコネクタ１０は、ソケットハウジング１２と、ロックアーム１５と、ケーブル１１とを備える。
ソケットハウジング１２は、全体視で略直方体形状を有している。ロックアーム１５は、ソケットハウジング１２の第４方向Ｄ４側の外面に連結されている。ケーブル１１は、その端子（図示せず）がソケットハウジング１２の内部に配置されており、その他端部側がソケットハウジング１２から第５方向Ｄ５に延出している。ケーブル１１の端子は、組み合わせ状態において、ベースコネクタ３０の端子３５と電気的に接続する。
【００２６】
図１〜図７に示すように、ロックアーム１５は、第１方向Ｄ１に延びるフック部１５ａと、第２方向Ｄ２に延びる力点部１５ｂと、フック部１５ａと力点部１５ｂの間に位置し且つソケットハウジング１２の外面に連接される支点部１５ｃとを備える。ロックアーム１５は、支点部１５ｃを中心にフック部１５ａ及び力点部１５ｂが回動可能に構成されている。
【００２７】
フック部１５ａは、全体視で板状であり、その先端部（第１方向Ｄ１側の端部）は、第５方向Ｄ５側に突出する係合突起となっている。フック部１５ａは、支点部１５ｃを支点として第３方向Ｄ３に沿う回動軸を中心に回動し、第５方向Ｄ５側に向けて又は第４方向Ｄ４側に向けて、所定角度の範囲で回動自在になっている。力点部１５ｂが第５方向Ｄ５に回動された状態において、フック部１５ａには、第５方向Ｄ５に向けて回動するように付勢力が生じる。
【００２８】
力点部１５ｂは、全体視で板状であり、その先端部（第２方向Ｄ２側の端部）は、第４方向Ｄ４側に膨出する膨出部となっている。該膨出部は、力点部１５ｂを指などで押す際の押しやすさを向上させるために設けられている。力点部１５ｂは、支点部１５ｃを挟んでフック部１５ａと第２方向Ｄ２側の反対側に位置している。力点部１５ｂは、支点部１５ｃを支点として第３方向Ｄ３に沿う回動軸を中心に回動し、第４方向Ｄ４側に向けて又は第５方向Ｄ５側に向けて、所定角度の範囲で回動自在になっている。
【００２９】
ソケットハウジング１２は当接面２１を有する。当接面２１は、ソケットハウジング１２における支点部１５ｃと連接する連接部１８に位置すると共に、組み合わせ状態においてベースコネクタ３０における第２方向Ｄ２側の端面と当接する面である。本実施形態においては、当接面２１は、ベースコネクタ３０の周壁部３２の前壁部３２ａにおける第２方向Ｄ２側の端面と当接する。
【００３０】
図５、図９、図１０などに示すように、支点部１５ｃは、第３方向Ｄ３に離間して２個（１対）設けられる。つまり、支点部１５ｃは、第３方向Ｄ３には非連続となっている。そして、図３、図５、図７などに示すように、支点部１５ｃは、当接面２１よりも第１方向Ｄ１側に位置している。
【００３１】
図１、図６、図７、図１０などに示すように、ソケットハウジング１２の連接部１８には、第１方向Ｄ１側に開口する第１切り欠き部１９が設けられている。第１切り欠き部１９は、第３方向Ｄ３に視た場合に矩形状を有しており、また、第３方向Ｄ３の全域に亘っている。第１切り欠き部１９よりも第４方向Ｄ４側及び第５方向Ｄ５側には、連接部１８が存在している。
【００３２】
図１、図６、図７などに示すように、ソケットハウジング１２には、開放空間２０が形成されている。開放空間２０は、連接部１８における第１方向Ｄ１側に形成された、第１方向Ｄ１側に開放する空間である。
開放空間２０は、前記組み合わせ状態において、ベースコネクタ３０におけるラッチ部３６が連結される周壁部３２（つまり前壁部３２ａ）が収容される空間である。
【００３３】
図１、図５、図６、図１０などに示すように、ソケットハウジング１２は、ストッパ２３を備える。ストッパ２３は、フック部１５ａが支点部１５ｃを中心に回動した際に、開放空間２０へのフック部１５ａの過剰な進入を阻止するために設けられる。「開放空間２０へのフック部１５ａの過剰な進入を阻止する」とは、開放空間２０へフック部１５ａを全く進入させない場合のみならず、開放空間２０にフック部１５ａが進入したとしても支点部１５ｃの機能が失われない範囲で、開放空間２０へのフック部１５ａの進入を阻止することを意味する。支点部１５ｃの機能が失われる例としては、支点部１５ｃの破断、破壊、塑性変形などが挙げられる。
【００３４】
ストッパ２３は、ソケットハウジング１２における、ロックアーム１５の回動軸方向（第３方向Ｄ３）の中心部に対向する位置に１個設けられている。
ストッパ２３は、ソケットコネクタ１０とベースコネクタ３０とを組み合わせる際に、逃げ部３３（図８参照）の内部に案内されるように形成されている。本実施形態においては、ストッパ２３は、組み合わせ状態において逃げ部３３と対向する位置に設けられると共に、逃げ部３３よりも若干小さい形状を有している。
【００３５】
図４，図９、図１０などに示すように、ソケットハウジング１２における第４方向Ｄ４に沿う一対の外面には、第３方向Ｄ３の内側に向かって凹んだ外面凹部２４，２４が形成されている。外面凹部２４は、組み合わせ状態において、ベースコネクタ３０の側壁部凸部３２ｃ（図８参照）と対向する位置に設けられると共に、側壁部凸部３２ｃよりも若干大きい形状を有している。従って、ソケットコネクタ１０とベースコネクタ３０とを組み合わせる際に、側壁部凸部３２ｃは、第１方向Ｄ１に外面凹部２４に挿入され、挿入ガイドとして機能する。
【００３６】
ソケットハウジング１２においては、第２方向Ｄ２側における第４方向Ｄ４に沿う縁部は、第３方向Ｄ３の外側に延出し、つば部１２ａを形成している。つば部１２ａは、ソケットコネクタ１０の着脱時にソケットハウジング１２の摘みやすさを向上させる。
【００３７】
図１、図２、図３、図８などに示すように、ソケットコネクタ１０とベースコネクタ３０とは次のように組み合わされ、ソケット−ベースコネクタ対が形成される。側壁部凸部３２ｃと外面凹部２４とを対向させ、開放空間２０と周壁部３２の前壁部３２ａとを対向させ、ストッパ２３と逃げ部３３とを対向させ、支点部１５ｃと第２逃げ部３２ｄとを対向させた状態において、ソケットコネクタ１０とベースコネクタ３０とを第１方向Ｄ１又は第２方向Ｄ２に相対的に接近させる。その結果、側壁部凸部３２ｃが外面凹部２４に挿入され、周壁部３２の前壁部３２ａが開放空間２０に挿入され、ストッパ２３が逃げ部３３に挿入され、支点部１５ｃが第２逃げ部３２ｄに挿入される。
【００３８】
また、図１及び図３に示すように、ロックアーム１５のフック部１５ａは、ラッチ部３６の斜面部３７ｂを摺動して、支点部１５ｃを中心に第４方向Ｄ４に回動しながら、係合突起３７ａを乗り越え、ラッチ部３６に係合する。このように、フック部１５ａとラッチ部３６とが係合されることにより、ソケットコネクタ１０とベースコネクタ３０との結合状態が維持される。
【００３９】
一方、ソケットコネクタ１０とベースコネクタ３０との結合状態を解除する際には、力点部１５ｂを押すことにより、フック部１５ａが支点部１５ｃを中心に第４方向Ｄ４に回動する。その状態で、ソケットコネクタ１０とベースコネクタ３０とを第１方向Ｄ１又は第２方向Ｄ２に相対的に離間させることにより、ソケットコネクタ１０とベースコネクタ３０の結合状態を解除することができる。
【００４０】
以上の構成を有する第１実施形態のソケットコネクタ１０によれば、以下の効果が奏される。
第１実施形態のソケットコネクタ１０においては、ソケットハウジング１２は、フック部１５ａが支点部１５ｃを中心に回動した際に、開放空間２０へのフック部１５ａの過剰な進入を阻止するストッパ２３を備えている。そのため、図１１に示すように、ロックアーム１５が第５方向Ｄ５に過剰に回動しそうになったとしても、支点部１５ｃに破断や塑性変形が生じる前に、フック部１５ａがストッパ２３に当接する。そのため、ロックアーム１５の回動が規制され、ロックアーム１５の支点部１５ｃの破断などを防止することができる。
【００４１】
また、ベースコネクタ３０は、組み合わせ状態においてストッパ２３との干渉を避ける逃げ部３３を備え、ストッパ２３は、ソケットコネクタ１０とベースコネクタ３０とを組み合わせる際に、逃げ部３３の内部に案内されるように形成されている。そのため、ソケットコネクタ１０をベースコネクタ３０における適切な組み合わせ位置に容易に誘導することができる。
【００４２】
次に、本発明の他の実施形態について説明する。他の実施形態については、主として、第１実施形態とは異なる点を説明し、第１実施形態と同様の構成について同じ符号を付し、説明を省略する。他の実施形態について特に説明しない点については、第１実施形態についての説明が適宜適用される。他の実施形態においても、第１実施形態と同様の効果が奏される。
【００４３】
図１２は、第２実施形態のソケットコネクタにおけるソケットハウジングを示す底面図（図１０対応図）である。
図１２に示すように、第２実施形態のソケットコネクタ１０におけるソケットハウジング１２は、第１実施形態におけるソケットハウジング１２に比して、ストッパ２３の個数が主として異なる。その他の構成は、第１実施形態と同様である。
【００４４】
具体的には、第２実施形態においては、ストッパ２３は、ソケットハウジング１２における、ロックアーム１５の回動軸方向（第３方向Ｄ３に沿う方向）に沿う両端部近傍に２個設けられている。また、図示は省略するが、ベースハウジング３１においては、ストッパ２３と対応する位置に逃げ部が２個設けられる。
そのため、組み合わせ状態において、ロックアーム１５は、その捩れがストッパ２３によって規制され、抑制される。従って、この捩れに起因した破断などを更に抑制することができる。
【００４５】
以上、本発明の実施形態について説明したが、本発明は前述した実施形態に制限されるものではなく、適宜変更が可能である。
例えば、ストッパ２３の個数、位置、大きさ、形状、間隔などに特に制限はない。また、支点部１５ｃの個数、位置、大きさ、形状、間隔などに特に制限はない。
【図面の簡単な説明】
【００４６】
【図１】本発明の第１実施形態のソケットコネクタとベースコネクタとを分離した状態でベースコネクタ側から視た斜視図である。
【図２】第１実施形態のソケットコネクタとベースコネクタとを組み合わせた状態でベースコネクタ側から視た斜視図である。
【図３】組み合わされた状態のソケットコネクタ及びベースコネクタを、図９に示すＡ−Ａ線で切断した断面図である。
【図４】第１実施形態のソケットコネクタにおけるソケットハウジングの斜視図である。
【図５】図４に示すソケットハウジングについて、ロックアームの支点部１５ｃを通り且つ第３方向Ｄ３に沿って切断した断面図である。
【図６】図４に示すソケットハウジングについて、図１０に示すＢ−Ｂ線で切断した断面図である。
【図７】図４に示すソケットハウジングについて、図９に示すＡ−Ａ線で切断した断面図である。
【図８】第１実施形態のソケットコネクタと組み合わせて使用されるベースコネクタを示す斜視図である。
【図９】図４に示すソケットハウジングの平面図である。
【図１０】図４に示すソケットハウジングの底面図である。
【図１１】第１実施形態のソケットコネクタの効果を示す断面図（図７対応図）である。
【図１２】第２実施形態のソケットコネクタにおけるソケットハウジングを示す底面図（図１０対応図）である。
【図１３】従来のソケットコネクタにおけるソケットハウジングを、ロックアームの支点部を通るように切断した断面図である。
【図１４】従来のソケットコネクタにおいて、ロックアームが過剰に回動した状態を示す断面図である。
【符号の説明】
【００４７】
１０  ソケットコネクタ
１２  ソケットハウジング
１５  ロックアーム
１５ａ  フック部
１５ｂ  力点部
１５ｃ  支点部
１６  第２切り欠き部
１７  第３切り欠き部
１８  連接部
１９  第１切り欠き部
２０  開放空間
２１  当接面
２３  ストッパ
３０  ベースコネクタ
３２  周壁部
３２ａ  前壁部
３３  逃げ部
３６  ラッチ部
４０  回路基板
Ｄ１  第１方向
Ｄ２  第２方向
Ｄ３  第３方向（ロックアームの回動軸方向）
【図１】
0005134415.tif 000002
【図２】
0005134415.tif 000003
【図３】
0005134415.tif 000004
【図４】
0005134415.tif 000005
【図５】
0005134415.tif 000006
【図６】
0005134415.tif 000007
【図７】
0005134415.tif 000008
【図８】
0005134415.tif 000009
【図９】
0005134415.tif 000010
【図１０】
0005134415.tif 000011
【図１１】
0005134415.tif 000012
【図１２】
0005134415.tif 000013
【図１３】
0005134415.tif 000014
【図１４】
0005134415.tif 000015